(57)【要約】【課題】過去の画角と現在の画角との間の相対的な差を、撮影者が容易に認識できるカメラを提供する。【解決手段】現在の位置を検出する位置検出センサ１０と、撮影方向を検出する方位センサ１２と、前記位置検出センサ１０により得られた位置データと、前記方位センサ１２により得られた撮影方向データとを少なくとも含む撮影データを、撮影日時に関連させて記憶する記憶手段１４と、前記記憶手段１４に記憶されている前記撮影データと、現時点での位置と撮影方向とから、現時点で撮影しようとしている第１画角２２に対する、前記撮影データに基づいた第２画角２４の位置を算出し、前記第１画角２２と共に、前記第２画角２４を表示する表示手段１８とを有する。【選択図】図１
2008252391.tif 000002
【特許請求の範囲】
【請求項１】
現在の位置を検出する位置検出センサと、
撮影方向を検出する方位センサと、
前記位置検出センサにより得られた位置データと、前記方位センサにより得られた撮影方向データとを少なくとも含む撮影データを記憶する記憶手段と、
前記記憶手段に記憶されている前記撮影データと、現時点での位置と撮影方向とから、現時点で撮影しようとしている第１画角に対する、前記撮影データに基づいた第２画角の位置を算出し、前記第１画角と共に、前記第２画角を表示する表示手段とを有するカメラ。
【請求項２】
撮影時の撮影光学系の焦点距離を検出する焦点距離検出手段を有し、
前記撮影データは、前記焦点距離検出手段により得られた焦点距離データを含み、
前記表示手段での前記第２画角の位置の算出に、現時点での焦点距離を用いる請求項１に記載のカメラ。
【請求項３】
前記記憶手段に記録される前記撮影データが、撮影に関するコメントを含み、  前記表示手段には、前記第２画角と共に、当該第２画角に関連して前記コメントの表示が選択的に可能になっている請求項１または２に記載のカメラ。
【請求項４】
前記表示手段には、前記第１画角内の表示内容に重ねて、前記第２画角の領域を示す線が表示される請求項１〜３のいずれかに記載のカメラ。
【請求項５】
前記表示手段には、前記第１画角内の表示内容に重ねて、前記第２画角に対応する領域に半透明着色を施して表示する請求項１〜３のいずれかに記載のカメラ。
【請求項６】
前記撮影データは、撮影日時に関連させて前記記憶手段に記憶する請求項１〜５のいずれかに記載のカメラ。
【請求項７】
前記表示手段には、前記第１画角内の表示内容に重ねて、複数の撮影日時の撮影データに対応する複数の第２画角が表示される請求項１〜６のいずれかに記載のカメラ。
【発明の詳細な説明】
【技術分野】
【０００１】
本発明はカメラ、特に過去の撮影データに基づく表示を行う表示手段を有するカメラに関する。
【背景技術】
【０００２】
従来より、例えば風景写真の撮影などにおいて、同一の撮影ポイントを、撮影時期を変えて撮影したいという要望がある。風光明媚な山河等を撮影対象とし、同一の撮影対象を、例えば新緑の時期、紅葉の時期および冠雪の時期というように季節を追って撮影することは、写真愛好家にとって大きな楽しみのひとつである。
【０００３】
このような場合、撮影者の記憶やプリントされた過去の写真等を頼りに、過去の撮影位置および撮影方向等を探し、撮影を行うことが一般的である。しかしながら撮影者の記憶等によって撮影を行うと、撮影位置や撮影方向に予想外のずれが発生したり、思い通りの撮影ポイントが見つけられない等の問題点があった。
【０００４】
このような問題を解決する従来技術としては、例えば特許文献１に記載されたカメラが開示されている。特許文献１に記載されたカメラは、ＧＰＳ装置などによって、撮影時における撮影位置や撮影方向を認識し、これらをメモリ等に記憶させる。そして次回撮影時において、前記カメラに記憶された撮影位置等の各々の数値と、現在の撮影位置等の各々の数値を比較し、その数値の誤差を各々表示するものである。
【０００５】
特許文献１に記載されたような従来のカメラにおいては、前記誤差を０または極力０に近づけることによって、撮影位置等を過去のそれと一致させることができる。
【０００６】
しかしながら風景写真等を撮影する際には、過去に撮影した画角を基に、これから撮影しようとする画角に変化を与えたり、修正を加えたい場合もある。すなわち、過去の画角と現在の画角との間に、任意の相対的な差を持たせながら撮影したい場合もある。
【０００７】
従来のカメラでは、過去に撮影した画角による映像と、現在の画角との比較がしにくく、過去の画角と現在の画角との間の相対的な差を、撮影者が映像として認識することが困難であった。
【特許文献１】特開２００４−８０３５９公報
【発明の開示】
【発明が解決しようとする課題】
【０００８】
そこで本発明は、過去の画角と現在の画角との間の相対的な差を、撮影者が容易に認識できるカメラを提供することを目的とする。
【課題を解決するための手段】
【０００９】
上記目的を達成するために、本発明に係るカメラ（１）は、
現在の位置を検出する位置検出センサ（１０）と、
撮影方向を検出する方位センサ（１２）と、
前記位置検出センサ（１０）により得られた位置データと、前記方位センサ（１２）により得られた撮影方向データとを少なくとも含む撮影データを記憶する記憶手段（１４）と、
前記記憶手段（１４）に記憶されている前記撮影データと、現時点での位置と撮影方向とから、現時点で撮影しようとしている第１画角（２２）に対する、前記撮影データに基づいた第２画角（２４）の位置を算出し、前記第１画角（２２）と共に、前記第２画角（２４）を表示する表示手段（１８）とを有する。
【００１０】
また、例えば本発明に係るカメラ（１）は、
撮影時の撮影光学系の焦点距離を検出する焦点距離検出手段（８）を有し、
前記撮影データは、前記焦点距離検出手段（８）により得られた焦点距離データを含み、
前記表示手段（１８）での前記第２画角（２４）の位置の算出に、現時点での焦点距離を用いるものであってもよい。
【００１１】
また、例えば前記記憶手段（１４）に記録される前記撮影データが、撮影に関するコメントを含み、前記表示手段（１４）には、前記第２画角（２４）と共に、当該第２画角（２４）に関連して前記コメントの表示が選択的に可能になっていてもよい。
【００１２】
また、例えば前記表示手段（１８）には、前記第１画角（２２）内の表示内容に重ねて、前記第２画角（２４）の領域を示す線が表示されてもよい。
【００１３】
また、例えば前記表示手段（１８）には、前記第１画角内（２２）の表示内容に重ねて、前記第２画角（２４）に対応する領域に半透明着色を施して表示してもよい。
【００１４】
また、例えば前記撮影データは、撮影日時に関連させて前記記憶手段（１４）に記憶させてもよい。
【００１５】
また、例えば前記表示手段（１８）には、前記第１画角内（２２）の表示内容に重ねて、複数の撮影日時の撮影データに対応する複数の第２画角（２４）が表示されてもよい。
【００１６】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１７】
以下、本発明を、図面に示す実施形態に基づき説明する。
図１は、本発明の一実施形態に係るカメラの構成を示す概念図、
図２は、本発明の第１実施形態および第２実施形態に係るカメラの表示部による表示を示す概念図、
図３は、本発明の第３実施形態に係るカメラの表示部による表示を示す概念図である。
第１実施形態
【００１８】
図１に示すように、本発明の第１実施形態に係るカメラ１は、カメラレンズ部３に撮像レンズ４を有する。撮像レンズ４により、カメラボディ２の撮像素子６上に被写体像が結像される。また、カメラボディ２には、撮像レンズ４の焦点距離を検出する焦点距離検出部８が内蔵されている。
【００１９】
さらに、カメラ１のカメラボディ２には、ＧＰＳ衛生からの電波を受信し現在の位置を検出するＧＰＳ部材１０が内蔵されている。またカメラ１は、カメラボディ２の方位センサ１２によって、現在カメラ１が撮影しようとしている方向を検出することができる。方位センサ１２としては、例えば地磁気センサや加速度センサ等を用いることができる。
【００２０】
また、メモリ１４には、ＧＰＳ部材１０、方位センサ１２または焦点距離検出部８等の検出手段によって検出された過去の撮影条件等の撮影データが、撮影日時に関連させて記録されている。メモリ１４に記録される撮影データとしては、例えば、撮影位置データ、撮影方向データ、焦点距離データ、露光条件等が挙げられる。メインプロセッサ１６は、メモリ１４に記録された過去の撮影条件や、検出手段によって検出された現在の撮影条件等を基に、表示部１８によって表示される情報等を算出することができる。
【００２１】
図２（Ａ）は、本発明の第１実施形態に係るカメラ１において、表示部１８としてのファインダ手段または平面表示パネル（液晶表示パネル等）に表示された表示画像の一例を示したものである。表示部１８は、図１に示す撮像レンズ４からの被写体像に重ねて、メインプロセッサ１６によって算出される過去の画角等の情報を表示することができる。
【００２２】
図２（Ａ）においては、表示画像の全体が、現在の画角に対応している。すなわち図２（Ａ）では、現在の画角に相当する第１画角２２内の表示内容に重ねて、過去の画角に相当する第２画角２４が、前記第２画角２４の領域を示す破線によって表示されている。言い換えると図２（Ａ）の表示画像からは、現在の画角である第１画角２２が、過去の画角である第２画角２４に対して、位置および方向がほぼ一致し、幾分広角であることを読み取ることができる。
【００２３】
図２（Ａ）に示される表示画像は、以下のようなプロセスを経て表示される。まず図１に示すメインプロセッサ１６は、メモリ１４に記録された過去の撮影データと、ＧＰＳ部材１０、方位センサ１２および焦点距離検出部８等によって検出された現在の撮影データとを比較する。次に前記メインプロセッサ１６は、前記比較したデータを基に、現時点で撮影しようとしている第１画角２２に対する、過去に撮影した第２画角２４の位置を算出する。算出された前記位置に基づき、第２画角２４の領域を示す破線が、表示部１８によって表示される。
【００２４】
前記第２画角２４の表示に反映される過去の撮影データとしては、直前に撮影した過去の撮影データを用いてもよく、撮影者が選択したベストショットに係る過去の撮影データを用いてもよい。また、複数の過去の撮影データに対応する複数の第２画角２４を、カメラ１の表面に設置されたボタン等を押すことで、撮影者が切り替えながら表示できる構成としてもよい。
【００２５】
このように第１実施形態に係るカメラ１は、過去の画角と現在の画角との間の相対的な差を、撮影者が容易に映像として認識できるものである。それによって撮影者は、過去に撮影した写真の構図を基に、よりよい構図を容易に探して撮影を行うことが可能となる。
【００２６】
例えば、図２（Ａ）における第１画角２２は、第２画角２４に対して約２０％広角である。しかし、第１実施形態に係るカメラ１では、第２画角２４と第１画角２２との相対的な差異を「２０％」という数値で示すのではなく、図２（Ａ）のような映像で示すことによって、撮影者が求める構図を容易に探して撮影を行うことが可能となっている。
【００２７】
また、第１実施形態に係るカメラ１は、第１画角２２の表示内容の他には、第２画角２４の領域を示す破線が表示されるのみであるから、前記第２画角２４の表示によって、第１画角２２の表示内容が見づらくなるという問題が発生しない。
第２実施形態
【００２８】
図２（Ｂ）は、本発明の第２実施形態に係るカメラ１において、表示部１８に表示された表示画像の一例を示したものである。図２（Ｂ）においても、図２（Ａ）と同様に、表示画像の全体が、現在の画角に対応している。ただし図２（Ｂ）では、現在の画角に相当する第１画角２２内の表示内容に重ねて、過去の画角に相当する第２画角２４が、前記第２画角２４に対応する領域に半透明着色を施して表示されている。第２実施形態では、第２画角２４の表示方法以外のその他の構成は、第１実施形態と同様である。
【００２９】
なお、前記第２画角２４の表示方法としては、前記対応する領域が色を薄く表示されていてもよく、あるいは前記対応する領域が白黒で表示されていてもよい。
【００３０】
第２実施形態に係るカメラ１は、第１実施形態に係るカメラ１と同様に、過去の画角と現在の画角との間の相対的な差を、撮影者が容易に映像として認識できるものである。それによって撮影者は、過去に撮影した写真の構図を基に、よりよい構図を容易に探して撮影を行うことが可能となる。
【００３１】
さらに第２実施形態に係るカメラ１は、第２画角２４が半透明着色を施して表示されているので、第２画角２４と第１画角２２との境界部を、より明瞭に認識できる。また、前記半透明着色を施して表示することにより、第１画角２２の表示内容が見づらくなるという問題が発生しない。
第３実施形態
【００３２】
図３（Ａ）は、本発明の第３実施形態に係るカメラ１において、表示部１８に表示された表示画像の一例を示したものである。図３（Ａ）に示された表示画像では、図２（Ａ）に示された表示画像に加えて、第２画角２４の右下部にインフォメーションマーク３２が表示されている。図３（Ａ）に示された例では、インフォメーションマーク３２は、白抜きのアルファベット「ｉ」となっている。
【００３３】
インフォメーションマーク３２は、第２画角２４を撮影した際の撮影データが、図３（Ｂ）に示す撮影に関するコメント３４を含んでいる場合に表示される。前記撮影に関するコメント３４は、カメラ１の表面に設置されたスイッチ等によって、表示が選択的に可能になっている。すなわち、図３（Ｂ）は前記撮影に関するコメント３４が表示された状態を表しており、撮影者が図３（Ａ）の表示状態と、図３（Ｂ）の表示状態とを切り替えることができる。
【００３４】
図３（Ｂ）に示された例では、前記撮影に関するコメント３４は「露出アンダー」である。撮影に関するコメント３４としては、撮影後に一定の字数内の任意のコメントを撮影者が入力してもよく、あらかじめ設定された複数のコメントの中から撮影者が選択してもよい。また、前記撮影に関するコメント３４は、前記第２画角２４を撮影した日時を自動的に併記した態様で表示されてもよい。
【００３５】
なお、表示部１８が平面表示パネルである場合における前記表示状態の切り替えは、パネル上に表示されたインフォメーションマーク３２等を撮影者が触ることによって表示を切り替えるいわゆるタッチパネル方式であってもよい。
【００３６】
このような構成により、第３実施形態に係るカメラでは、第１実施形態に係るカメラについて記載された効果に加えて、第２画角２４に関連する撮影に関するコメント３４を表示し、撮影者に当該情報を認識させることができる。したがって撮影者は、過去の撮影に関するコメント３４に基づいて、より適切な撮影を行うことが可能となる。
その他の実施形態
【００３７】
本願発明のその他の実施形態に係るカメラ１においては、表示部１８によって、第１画角２２の表示内容に重ねて、複数の撮影日時の撮影データに対応する複数の２画角２４を表示するカメラであってもよい。この場合において、前記複数の第２画角２４は、各々異なる色の半透明着色を施して表示されてもよい。
【００３８】
上記実施形態では、焦点距離検出部８により、撮影時の撮像レンズの焦点距離を検出する構成とした。これは、撮像レンズ４がズームレンズであったり、撮像レンズ４が単焦点のレンズであってもカメラレンズ部３が交換可能なレンズの場合は、前回撮影時と現時点とで、撮像レンズ４の焦点距離が異なる場合があるからである。撮像レンズ４が単焦点のレンズで、かつ、カメラレンズ部３が交換不可能な場合は、焦点距離はいつも同じであるから、焦点距離検出をしなくてもよい。したがって、このような場合は、焦点距離検出部８は不要である。
【００３９】
このような構成により、撮影者は、複数の過去の画角と現在の画角との間の相対的な差を、容易に映像として認識できる。それによって撮影者は、過去に撮影した複数の写真の構図を基に、よりよい構図を容易に探して撮影を行うことが可能となる。
【００４０】
また、本願発明のさらにその他の実施形態に係るカメラ１では、図２に示すような破線または半透明着色等による第２画角２４の表示に代えて、または重ねて、第２画角２４の領域に対応する部分に、実際の過去の画像を表示することができる。この場合において、前記実際の過去の画像の表示は、カメラ１の表面に設置されたボタン等を押すことで、撮影者が表示・非表示を切り替え可能となっている。
【００４１】
このような構成により、撮影者は、画角の相対的な差に加えて、撮影対象の色彩等も対比しながら、よりよい構図を容易に探して撮影を行うことが可能となる。
【図面の簡単な説明】
【００４２】
【図１】図１は、本発明の一実施形態に係るカメラの構成を示す概念図である。
【図２】図２は、本発明の第１実施形態および第２実施形態に係るカメラの表示部による表示を示す概念図である。
【図３】図３は、本発明の第３実施形態に係るカメラの表示部による表示を示す概念図である。
【符号の説明】
【００４３】
８…  焦点距離検出部
１０…  ＧＰＳ部材
１２…  方位センサ
１４…  メモリ
【図１】
2008252391.tif 000003
【図２】
2008252391.tif 000004
【図３】
2008252391.tif 000005